(57)【要約】【課題】熱の影響が小さな車輪用装飾部材の取付構造を提供すること。【解決手段】車体に固定されたナックル（１１）は、車輪（１２）と、この車輪（１２）と共に回転可能なブレーキディスク（１３）と、このブレーキディスク（１３）の回転を制動するキャリパ（１４）と、このキャリパ（１４）に隣接し車幅中央側への水の浸入を抑制するスプラッシュガード（１５）と、を支持している。ブレーキディスク（１３）の外周、且つ、キャリパ（１４）を避けた部位に略Ｃ字状に配置され、点灯することにより車輪（１２）を装飾する車輪用装飾部材（２０）を有している。車輪用装飾部材（２０）は、スプラッシュガード（１５）に固定された複数のステー（１６，１７）によって支持されている。【選択図】図２
2017171145.tif 000002
【特許請求の範囲】
【請求項１】
車輪と、この車輪と共に回転可能なブレーキディスクと、このブレーキディスクの回転を制動するキャリパと、このキャリパに隣接し車幅中央側への水の浸入を抑制するスプラッシュガードと、がナックルによって支持され、
前記ブレーキディスクの外周、且つ、前記キャリパを避けた部位に略Ｃ字状に配置され、点灯することにより前記車輪を装飾する車輪用装飾部材を有し、
前記車輪用装飾部材は、前記スプラッシュガードに固定された複数のステーによって支持されていることを特徴とする車輪用装飾部材の取付構造。
【請求項２】
前記複数のステーのうち少なくとも１つの前記ステーは、前記車輪の回転軸を基準として、前記キャリパに対向した部位に配置されていることを特徴とする請求項１記載の車輪用装飾部材の取付構造。
【請求項３】
前記車輪用装飾部材は、点灯可能な点灯部と、この点灯部を囲い前記点灯部が発した光を拡散させる光拡散部と、を有し、
前記光拡散部は、前記点灯部に重なると共に車幅外側に向かって半円状に膨出し、内部が空洞状に形成されていることを特徴とする請求項１又は請求項２記載の車輪用装飾部材の取付構造。
【発明の詳細な説明】
【技術分野】
【０００１】
本発明は、点灯することにより車輪を装飾する車輪用装飾部材の技術に関する。
【背景技術】
【０００２】
一部の車両は、車輪を装飾するための車両用装飾部材を有している。車両用装飾部材は、点灯することにより車輪を装飾する。このような車輪用装飾部材に関する従来技術として特許文献１に開示される技術がある。
【０００３】
特許文献１に示されるような、車両用装飾部材は、略Ｃ字状を呈すると共に、両端に固定された２つのステーによって支持されている。２つのステーは、それぞれ、キャリパと共に共締めされて固定されている。
【０００４】
ところで、キャリパは、ブレーキディスクの回転を制動する部材であり、ブレーキディスクとの摩擦熱により高温になる。特許文献１による車両用装飾部材は、高温になる部材と共に共締めされているため、熱の影響を受けやすいものと考えられる。
【先行技術文献】
【特許文献】
【０００５】
【特許文献１】特許第３４２１６７９号公報
【発明の概要】
【発明が解決しようとする課題】
【０００６】
本発明は、熱の影響が小さな車輪用装飾部材の取付構造を提供することを課題とする。
【課題を解決するための手段】
【０００７】
請求項１による発明によれば、車輪と、この車輪と共に回転可能なブレーキディスクと、このブレーキディスクの回転を制動するキャリパと、このキャリパに隣接し車幅中央側への水の浸入を抑制するスプラッシュガードと、がナックルによって支持され、
前記ブレーキディスクの外周、且つ、前記キャリパを避けた部位に略Ｃ字状に配置され、点灯することにより前記車輪を装飾する車輪用装飾部材を有し、
前記車輪用装飾部材は、前記スプラッシュガードに固定された複数のステーによって支持されていることを特徴とする車輪用装飾部材の取付構造が提供される。
【０００８】
請求項２に記載のごとく、好ましくは、前記複数のステーのうち少なくとも１つの前記ステーは、前記車輪の回転軸を基準として、前記キャリパに対向した部位に配置されている。
【０００９】
請求項３に記載のごとく、好ましくは、前記車輪用装飾部材は、点灯可能な点灯部と、この点灯部を囲い前記点灯部が発した光を拡散させる光拡散部と、を有し、
前記光拡散部は、前記点灯部に重なると共に車幅外側に向かって半円状に膨出し、内部が空洞状に形成されている。
【発明の効果】
【００１０】
請求項１に係る発明では、車輪用装飾部材は、スプラッシュガードに固定された複数のステーによって支持されている。車両が走行し停止する際には、キャリパは、ブレーキディスクの回転を制動する。キャリパは、ブレーキディスクとの摩擦熱により高温になる。一方、スプラッシュガードは、車両の走行中に温度が変化する部品ではない。このような部位にステーを固定し、ステーによって車輪用装飾部材を支持している。これにより、車両が走行することにより発生する熱から受ける影響を抑制することができる。
【００１１】
スプラッシュガードは、例えば、車輪によって路面から跳ねられた水が車幅中央側へ浸入することを抑制する。このため、より広い範囲に亘って設けられる。このような部材によって車輪用装飾部材が支持されているため、ステーは、広い範囲に多数設けることができる。これにより、車輪用装飾部材の支持剛性を高めることができる。
【００１２】
請求項２に係る発明では、複数のステーのうち少なくとも１つのステーは、車輪の回転軸を基準として、キャリパに対向した部位に配置されている。即ち、車両の走行中に高温となるキャリパに対して、最も遠い位置に少なくとも１つのステーが配置されている。キャリパから遠い位置に配置することによって、より熱から受ける影響を抑制することができる。
【００１３】
請求項３に係る発明では、光拡散部は、点灯部に重なると共に車幅外側に向かって半円状に膨出し、内部が空洞状に形成されている。これにより、点灯部が発した光をより拡散することができる。光を拡散させることにより、車輪用装飾部材の全体を連続して光らせ、高い意匠性を得ることができる。
【図面の簡単な説明】
【００１４】
【図１】本発明の実施例による車輪用装飾部材の取付構造が採用された車輪の側面図である。
【図２】図１の２矢視図である。
【図３】図１の３−３線断面図である。
【発明を実施するための形態】
【００１５】
本発明の実施の形態を添付図に基づいて以下に説明する。なお、説明中、左右とは車両の乗員を基準として左右、前後とは車両の進行方向を基準として前後を指す。また、図中Ｆｒは前、Ｒｒは後、Ｃｅは車幅中央、Ｏｕは車幅外方、Ｕｐは上、Ｄｗは下を示している。
＜実施例＞
【００１６】
図１及び図２を参照する。図１には、四輪車の右前輪としての車輪１２が示されている。車輪１２は、車幅中央から車幅外側を見た状態によって示されている。
【００１７】
車体に固定されたナックル１１には、車輪１２と、この車輪１２と共に回転可能な円盤状のブレーキディスク１３と、このブレーキディスク１３の回転を制動するキャリパ１４と、このキャリパ１４に隣接し車幅中央側への水の浸入を抑制するスプラッシュガード１５と、が取り付けられている。
【００１８】
ナックル１１、キャリパ１４、スプラッシュガード１５は、回転しない。車輪１２、ブレーキディスク１３は、回転軸ＣＬを中心に回転する。
【００１９】
車両の走行中に、乗員がブレーキペダルを踏むと、キャリパ１４が作動し、回転しているブレーキディスク１３を制動する。これにより、車両は、停止する。
【００２０】
スプラッシュガード１５は、キャリパ１４の両端を繋ぐ略扇形状を呈している。スプラッシュガード１５には、４つのステー１６，１７が固定されている。４つのステー１６，１７のうち、２つのステー１７は、車輪１２の回転軸ＣＬを基準として、キャリパ１４に対向した部位に配置されている。即ち、ステー１７から回転軸ＣＬに向かって延びる線Ｌ１は、回転軸ＣＬを超えた位置においてキャリパ１４に接触する。スプラッシュガード１５は、他の部品を避けるように凹凸状に形成された凹凸形状部１５ａを含む。
【００２１】
凹凸形状部１５ａにもステー１６が取り付けられている。凹凸状に形成された凹凸形状部１５ａは、他の部位に比べて強度が高い。少なくとも一部のステー１６は、このような強度の高い部位に取り付けられている。
【００２２】
ステー１６，１７は、車輪１２を装飾する車輪用装飾部材２０を支持している。車輪用装飾部材２０は、例えば、イグニッションスイッチがオンにされることにより点灯する電飾部品である。車輪用装飾部材２０は、ブレーキディスク１３の外周に配置されている。
【００２３】
図３を参照する。ステー１７は、スプラッシュガード１５の車外側の面に溶接されたナット１８と、このナット１８に螺合されたボルト１９と、によってスプラッシュガード１５に固定されている。ステー１７は、略Ｊ字状を呈し、スプラッシュガード１５に当接すると共に外周に向かって延びる第１辺部１７ａと、この第１辺部１７ａから車外側に向かって延びる第２辺部１７ｂと、この第２辺部１７ｂの車外側の先端から第１辺部１７ａに沿って曲げられた第３辺部１７ｃと、からなる。第３辺部１７ｃの車外側の面には、車輪用装飾部材２０が貼り付けられている。
【００２４】
ステー１６（図１参照）についても構成は同様であり、詳細な説明は省略する。
【００２５】
車輪用装飾部材２０は、第３辺部１７ｃに貼り付けられたクリップ２１と、このクリップ２１に固定されたシリコン製の装飾部材本体部３０と、この装飾部材本体部３０の内部に配置され装飾部材本体部３０の形状を保持する形状保持部材２３と、この形状保持部材２３の上部に載せられ点灯可能な点灯部２４と、を有する。
【００２６】
装飾部材本体部３０、形状保持部材２３、及び、点灯部２４は、ブレーキディスク１３の外周に沿って略Ｃ字状に配置されている。クリップ２１は、断続的にそれぞれのステー１６，１７第３辺部１７ｃに固定されている。
【００２７】
装飾部材本体部３０は、クリップ２１に差し込まれた脚部３１と、この脚部３１に一体的に形成され点灯部２４が発した光を拡散させる光拡散部３２と、からなる。
【００２８】
光拡散部３２は、点灯部２４に重なると共に車幅外側に向かって半円筒状に膨出し、内部が空洞状に形成されている。
【００２９】
形状保持部材２３は、例えば、金属製の薄板によって構成される。
【００３０】
点灯部２４は、例えば、テープ上に複数のＬＥＤが配置されてなる。
【００３１】
以上に説明した本発明は、以下の効果を奏する。
【００３２】
図１を参照する。車輪用装飾部材２０は、スプラッシュガード１５に固定された複数のステー１６，１７によって支持されている。車両が走行し停止する際には、キャリパ１４は、ブレーキディスク１３の回転を制動する。キャリパ１４は、ブレーキディスク１３との摩擦熱により高温になる。一方、スプラッシュガード１５は、車両の走行中に温度が変化する部品ではない。このような部位にステー１６，１７を固定し、ステー１６，１７によって車輪用装飾部材２０を支持している。これにより、車両が走行することにより発生する熱から受ける影響を抑制することができる。
【００３３】
スプラッシュガード１５は、例えば、車輪１２によって路面から跳ねられた水が車幅中央側へ浸入することを抑制する。このため、より広い範囲に亘って設けられる。このような部材によって車輪用装飾部材２０が支持されているため、ステー１６，１７は、広い範囲に多数設けることができる。これにより、車輪用装飾部材２０の支持剛性を高めることができる。
【００３４】
さらに、複数のステーのうち少なくとも１つのステー１７は、車輪１２の回転軸ＣＬを基準として、キャリパ１４に対向した部位に配置されている。即ち、車両の走行中に高温となるキャリパ１４に対して、最も遠い位置に少なくとも１つのステー１７が配置されている。キャリパ１４から遠い位置に配置することによって、より熱から受ける影響を抑制することができる。
【００３５】
図３を参照する。点灯部２４が発した光を拡散させる光拡散部３２は、点灯部２４に重なっていると共に、車幅外側に向かって半円状に膨出し、膨出した部位の内部が空洞状に形成されている。これにより、点灯部２４が発した光をより拡散することができる。光を拡散させることにより、車輪用装飾部材２０の全体を連続して光らせ、高い意匠性を得ることができる。
【００３６】
車輪用装飾部材２０は、スプラッシュガード１５よりも車幅外方に位置すると共に、スプラッシュガード１５の外周の縁に重なっている。車輪用装飾部材２０によって、スプラッシュガード１５の縁を覆うことができ、意匠性を高めることができる。
【００３７】
尚、本発明による車輪用装飾部材の取付構造は、実施の形態では四輪車に適用したが、三輪車にも適用可能であり、一般の車両に適用することは差し支えない。さらには、車両以外の乗り物全般に採用することができる。
【００３８】
即ち、本発明の作用及び効果を奏する限りにおいて、本発明は、実施例に限定されるものではない。
【産業上の利用可能性】
【００３９】
本発明の車輪用装飾部材の取付構造は、四輪車に好適である。
【符号の説明】
【００４０】
１１…ナックル
１２…車輪
１３…ブレーキディスク
１４…キャリパ
１５…スプラッシュガード
１６，１７…ステー
２０…車輪用装飾部材
２４…点灯部
３２…光拡散部
ＣＬ…回転軸
【図１】
2017171145.tif 000003
【図２】
2017171145.tif 000004
【図３】
2017171145.tif 000005